(57)【要約】【課題】画像供給装置の近傍エリアで入力画像情報を入力するためのケーブルを接続可能としたセパレート型プロジェクタを提供すること。【解決手段】本発明に係るセパレート型プロジェクタは、入力した画像信号に基づいて画像をスクリーン３０に投写するプロジェクタである。そして、このセパレート型プロジェクタは、画像信号を入力する側の入力側ユニット１０と、画像を投写する側の投写側ユニット２０とに分割されている。入力側ユニット１０には、画像供給装置２をケーブル１０ｂで接続するための入力端子１０ａと、画像供給装置２から入力した画像信号を投写側ユニット２０に無線送信する送信回路１５とが備えられ、投写側ユニット２０には、入力側ユニット１０から無線送信された画像信号を受信する受信回路２１と、受信した画像を投写する光学系機器と、光学系機器を駆動する駆動回路とが備えられている。【選択図】図１
2008300944.tif 000002
【特許請求の範囲】
【請求項１】
入力した画像信号に基づいて画像をスクリーンに投写するプロジェクタであって、
画像信号を入力する側の入力側ユニットと、画像を投写する側の投写側ユニットとに分割され、
入力側ユニットには、画像供給装置をケーブルで接続するための入力端子と、画像供給装置から入力した画像信号を投写側ユニットに無線送信する送信回路とが備えられ、投写側ユニットには、入力側ユニットから無線送信された画像信号を受信する受信回路と、受信した画像を投写する光学系機器と、光学系機器を駆動する駆動回路とが備えられている
ことを特徴とするセパレート型プロジェクタ。
【請求項２】
前記入力側ユニットは、入力信号がアナログ画像信号の場合にデジタル画像信号に変換する入力信号処理回路と、デジタル画像信号をスケーリング処理する画像信号処理回路とを備え、
前記送信回路は、前記両回路で処理された画像信号を送信するように構成されていることを特徴とする請求項１記載のセパレート型プロジェクタ。
【請求項３】
前記入力側ユニットは、前記デジタル画像信号及び画像信号処理回路で処理された画像信号に対し、色調整及びガンマ補正を行う画質補正回路をさらに備え、
前記送信回路は、これら回路で処理された画像信号を送信するように構成されていることを特徴とする請求項２記載のセパレート型プロジェクタ。
【請求項４】
前記入力側ユニットから投写側ユニットへは暗号化された画像信号が送信されることを特徴とする請求項３記載のセパレート型プロジェクタ。
【請求項５】
前記セパレート型プロジェクタは、スクリーンが投写側ユニット及び入力側ユニットとは別体に形成されていることを特徴とする請求項１〜４の何れか１項に記載のセパレート型プロジェクタ。
【請求項６】
前記セパレート型プロジェクタは、スクリーンが投写側ユニット内に一体的に組み込まれた液晶リアプロジェクタであることを特徴とする請求項１〜４の何れか１項に記載のセパレート型プロジェクタ。
【発明の詳細な説明】
【技術分野】
【０００１】
本発明は、液晶プロジェクタなどのプロジェクタに関するものである。特に、プロジェクタの使用における利便性を考えたユニットの構成に関する。
【背景技術】
【０００２】
従来の一般のプロジェクタは、入力端子にパソコン、ＤＶＤプレイヤーなどの画像供給装置がケーブルで接続されていた。また、実際にプロジェクタを設置するときは、スクリーンの位置との関係でプロジェクタの位置が画像供給装置から離れた場所になり勝ちであったが、プロジェクタと画像供給装置との距離に応じたケーブルで接続されていた。このため、入力画像信号がアナログ画像信号である場合は、ケーブルが長くなるとその分画像信号が減衰し画質の劣化を招くおそれがあった。また、入力画像信号がＨＤＭＩなどのデジタル画像信号である場合は、伝送できる距離に制限があり、今の技術では１０ｍ程度が限度となっていた。また、設置性の面でも有線での接続であるために画像供給装置からプロジェクタまでのケーブル配線が長くなると、見栄えが悪くなるばかりでなく、費用も高くなるという問題があった。
【０００３】
このような問題を解決するものとして、液晶プロジェクタと画像供給装置との間を無線で接続するものがある。その一例として、特許文献１に記載された画像送受信装置を掲げることができる。この画像送受信装置は、描画データの生成を行う情報処理装置（画像供給装置）であるパソコンに画像送信装置を取り付け、一方表示装置である液晶プロジェクタの入口端子に受信装置を取り付け、パソコンから液晶プロジェクタに対し画像情報を無線送信するものである。
【特許文献１】特開２００４−１３７９５号公報
【発明の開示】
【発明が解決しようとする課題】
【０００４】
しかしながら、上記従来の画像送受信装置は、画像供給装置に送信装置が取り付けられていない場合には使用することができない。画像供給装置としては、パソコンだけではなくビデオ再生装置、ＤＶＤ再生装置、テレビなどさまざまな装置が使用されるため、それぞれの画像供給装置に送信装置を取り付ける必要があった。また、画像供給装置には種々の入力画像信号が使用されているため、これに対応する送受信装置も複雑で高価になるという問題があった。
【０００５】
本発明は、従来技術に存在するこのような問題点に着目してなされたものであって、常に画像供給装置の近傍エリアで入力画像情報を入力するためのケーブルを接続可能としたセパレート型プロジェクタを提供することを目的とする。
【課題を解決するための手段】
【０００６】
本発明は、入力した画像信号に基づいて画像をスクリーンに投写するプロジェクタであって、画像信号を入力する側の入力側ユニットと、画像を投写する側の投写側ユニットとに分割され、入力側ユニットには、画像供給装置をケーブルで接続するための入力端子と、画像供給装置から入力した画像信号を投写側ユニットに無線送信する送信回路とが備えられ、投写側ユニットには、入力側ユニットから無線送信された画像信号を受信する受信回路と、受信した画像を投写する光学系機器と、光学系機器を駆動する駆動装置とが備えられていることを特徴とする。
【０００７】
このような構成上の特徴を有する本発明に係るセパレート型プロジェクタによれば、入力側ユニットと投写側ユニットとが無線通信により画像信号が伝送されるように構成されているため、投写側ユニットを、スクリーンの設置場所との関係を考慮して適切な場所に取り付けることができる。また、入力側ユニットを、投写側ユニットの取付位置に左右されずに画像供給装置の近傍に取り付けることができる。これにより、入力側ユニットと画像供給装置とは、従来一般のプロジェクタのようにケーブルを通じて入力することができる。また、このセパレート型プロジェクタは、構成機器を二分して両者を無線通信するように構成しているので、既設の画像供給装置に接続して使用することができるとともに、画像供給装置として種々の入力側機器を接続した場合においても、入力側ユニットから投写側ユニットへ一定の仕様の無線で画像を送信することができる。
【０００８】
また、前記入力側ユニットは、入力信号がアナログ画像信号の場合にデジタル画像信号に変換する入力信号処理回路と、デジタル画像信号をスケーリング処理する画像信号処理回路とを備え、前記送信回路は、両回路で処理された画像信号を送信するように構成されていることが好ましい。このように構成すれば、入力信号が異なる種々の画像供給装置を接続しても、画像信号処理回路で処理された後の画像信号は、パネルサイズに固定された基本的に一定の信号周波数である。したがって、画像供給装置からの入力画像信号が多様であっても、投写側ユニットとの無線通信は、複雑な制御が不要となり、安定した基本的に一定の画像信号を供給することができる。
【０００９】
また、前記入力側ユニットは、前記デジタル画像信号及び画像信号処理回路で処理された画像信号に対し、色調整及びガンマ補正を行う画質補正回路をさらに備え、前記送信回路は、これら回路で処理された画像信号を送信するように構成されていることが好ましい。このようにすると、投写側ユニットには、光学系機器とこれに付随する機器のみが搭載された構成となるので、小型、軽量化される。したがって、投写側ユニットは、天井取付が要請される場合があるように、一般に入力側ユニットに比し設置条件が厳しくなるが、このような設置条件を容易に満たすことができる。
【００１０】
また、前記入力側ユニットから投写側ユニットへは暗号化された画像信号が送信されるように構成することが好ましい。このように構成すると、デジタルコンテンツ保護の観点から必要な措置として、無線通信の内容の漏洩を防止することができる。
【００１１】
また、前記セパレート型プロジェクタは、スクリーンが投写側ユニット及び入力側ユニットとは別体に形成されているように構成してもよい。このように構成すれば、入力側ユニット、投写側ユニット及びスクリーンの設置場所に対する制約が大きく緩和される。
【００１２】
また、前記セパレート型プロジェクタは、スクリーンが投写側ユニット内に一体的に組み込まれた液晶リアプロジェクタとすることもできる。この場合、従来のリアプロジェクタのように、リアプロジェクタ周辺で画像信号を入力するためのケーブルを引き回す必要がなくなる。
【発明の効果】
【００１３】
本発明によれば、画像供給装置とプロジェクタとを接続する画像情報入力のためのケーブルを短くすることができるとともに、アナログ信号の場合画質の劣化を防止することができ、また、スクリーンの据付位置は、画像情報供給装置の位置に関係なく自由に選定することができる。また、既設の画像供給装置に接続して使用することができるとともに、画像供給装置として種々の入力側機器を接続した場合においても、入力側ユニットから投写側ユニットへ基本的に一定の仕様の無線で画像を送信することができる。
【発明を実施するための最良の形態】
【００１４】
この実施の形態におけるセパレート型プロジェクタは、画像供給装置２の近傍エリアで入力画像情報を入力するためのケーブル１０ｂを接続可能としたセパレート型液晶プロジェクタ１であって、液晶３板式の投写型プロジェクタに構成されている。以下、本実施の形態に係るセパレート型液晶プロジェクタ１における画像処理の構成について図１〜図３に基づき説明する。図１は本実施の形態に係る同セパレート型液晶プロジェクタの全体構成イメージ図であり、図２は同セパレート型液晶プロジェクタの入力側ユニットの回路図であり、図３は同セパレート型液晶プロジェクタの投写側ユニットの回路図である。
【００１５】
本実施の形態に係るセパレート型液晶プロジェクタ１は、図１に示すように、入力側ユニット１０、投写側ユニット２０、及びスクリーン３０に分割されて構成されている。そして、入力側ユニット１０の入力端子１０ａには、パソコン２ａ、ＤＶＤプレイヤー２ｂ、ＶＴＲ２ｃ等の画像供給装置２からのケーブル１０ｂが接続され、入力端子１０ａから入力された画像信号は、所定の信号処理がなされた後、入力側ユニット１０から投写側ユニット２０に対し無線で送信される。投写側ユニット２０は、入力側ユニット１０の送信回路１５から画像信号を受信し、この受信信号に基づいて、搭載する光学系機器を駆動して画像を形成するＲＧＢ３成分の光を生成してスクリーン３０に画像を投影するように構成されている。
【００１６】
次に、入力側ユニット１０及び投写側ユニット２０の構成について説明する。
入力側ユニット１０は、図２に示すように、筐体内に入力信号処理回路１１、画像信号処理回路１２、画質補正回路１４、送信回路１５などの機器を備えている。
【００１７】
入力信号処理回路１１は、入力端子１０ａから入力された画像信号を、各種の入力画像信号形態に合わせて適宜処理し、アナログ画像信号からデジタル画像信号に変換する。入力信号処理回路１１から出力されたデジタル画像信号は、画像信号処理回路１２に入力される。画像信号処理回路１２に入力された画像信号は、付属のフレームメモリ１３を使用しパネルサイズに対し表示可能な解像度にスケーリング処理される。スケーリング処理されたデジタル画像信号は、画質補正回路１４にて、色調整、ガンマ補正などの画質改質のための処理が行われる。このようにして最終画像を得るための画像信号は、送信回路１５へと入力される。送信回路１５は、画像信号及び制御信号送受信用アンテナを有するものであって、入力した画像信号を暗号化して投写側の受信回路２１へ無線伝送される。
【００１８】
入力側ユニット１０には、上記機器のほかに電源回路１６、このユニット内の機器を制御するための制御用ＣＰＵ１７、内部異常検出回路１８、温度センサ、気圧センサなど各種センサ１９が収納されている。
【００１９】
次に、投写側ユニット２０は、図３に示すように、受信回路２１、パネル駆動回路２２、ＲＧＢ各画像信号用の液晶パネル２３、光源２４などが組み込まれている。
受信回路２１は、入力側ユニット１０の送信回路１５から送信された無線信号を画像信号及び制御信号送受信用アンテナとを備えている。このような受信回路２１に受信された画像信号は、暗号解除された後、一般的な画像信号であるデジタル画像信号へと変換され、パネル駆動回路２２へ出力される。パネル駆動回路２２へ入力された画像信号は、液晶パネル２３を駆動することができる信号形態に変換されるとともに、パネル駆動のための駆動パルスを同時に生成する。そして、液晶パネル２３を駆動するように変換された画像信号及びパネル駆動のための駆動パルスは、液晶パネル２３へと入力される。液晶パネル２３に入力された画像信号に対応した回転角を持つ液晶に対し、光源２４からの光を透過させることにより、画像を形成するＲＧＢ３成分の光が生成される。この３成分の光は、ＲＧＢ合成用のダイクロイックミラー（図示せず）により合成され、さらに、投写レンズ（図示せず）を経てスクリ−ン３０に投写され、所定のカラー画像がスクリーン３０に形成される。
【００２０】
また、投写側ユニット２０には、上記機器のほかに電源回路２５、制御用ＣＰＵ２６、ランプ制御回路２７、温度センサ、気圧センサなどの各種センサ２８、内部異常検出回路２９などが収納されている。
【００２１】
なお、上記投写側ユニット２０において、液晶パネル２３、光源２４、不図示のダイクロイックミラー及び投写レンズ等は、本発明における光学系機器を構成する。また、パネル駆動回路２２、ランプ制御回路２７等は、本発明における光学系機器を駆動する駆動装置を構成する。また、スクリーン３０は、この実施の形態においては、入力側ユニット１０及び投写側ユニット２０から独立して一定距離離れた位置に設置されている。
【００２２】
そして、投写側ユニット２０で検出される内部温度の異常、ファン停止、ランプ不点灯、電源異常などの異常情報や、入力側ユニット１０の画像信号選択結果、信号判別結果などの情報は、その情報を基にそれぞれのユニットにて適宜処理される。
【００２３】
上記のように構成された本実施の形態に係るセパレート型プロジェクタによれば、次のような効果を奏することができる。
（１）本実施の形態に係るセパレート型液晶プロジェクタ１は、入力側ユニット１０と投写側ユニット２０とが無線通信により画像信号が伝送されるように構成されている。このため、この投写側ユニット２０をスクリーン３０の設置場所との関係を考慮して適切な場所に取り付け、入力側ユニット１０は、投写側ユニット２０の取付位置に左右されずに画像供給装置２の近傍に取り付けることができる。
【００２４】
（２）入力側ユニット１０と画像供給装置２とは、従来一般のプロジェクタのようにケーブル１０ｂを通じて入力することができる。また、このセパレート型液晶プロジェクタ１は、構成機器を二分して両者を無線通信するように構成しているので、既設の画像供給装置２に接続して使用することができるとともに、画像供給装置２として種々の入力側機器を接続した場合においても、一定の仕様で無線により画像を送信するように構成することができる。
【００２５】
（３）セパレート型液晶プロジェクタ１においては、入力信号をデジタル画像信号に変換する入力信号処理回路１１、及びデジタル画像信号をデジタル処理する画像信号処理回路１２で処理された画像信号を、入力側ユニット１０の送信回路１５から投写側ユニット２０の受信回路２１に送信するように構成されている。したがって、入力信号が異なる種々の画像供給装置２を接続しても、画像信号処理回路１２で処理された後の画像信号は、パネルサイズに固定された基本的に一定の信号周波数となる。この結果、画像供給装置２からの入力画像信号が多様であっても、投写側ユニット２０へは安定した基本的に一定の画像信号を供給することができる。このため、この無線通信には複雑な制御が不要である。
【００２６】
（４）また、セパレート型液晶プロジェクタ１においては、入力側ユニット１０内に、入力信号処理回路１１及び画像信号処理回路１２とともに色調整やガンマ補正などの画質改良の処理を行う画質補正回路１４を設け、これら回路で処理された画像信号を投写側ユニット２０側へ無線伝送するように構成している。このため、投写側ユニット２０は、光学系機器と光学系機器を駆動する駆動回路等の光学系機器に付随する機器のみの構成となるので、小型、軽量化される。したがって、入力側ユニット１０に比し設置条件が厳しくなる投写側ユニット２０の設計を容易にすることができる。
【００２７】
（５）また、入力側ユニット１０から投写側ユニット２０へは暗号化された画像信号が送信されるように構成されているので、デジタルコンテンツ保護の観点から必要な措置として、無線通信の内容の漏洩を防止することができる。
【００２８】
（６）セパレート型液晶プロジェクタ１は、スクリーン３０が投写側ユニット２０及び入力側ユニット１０とは別体に形成されているので、投写側ユニット２０及びスクリーン３０の設置場所に対する制約が大きく緩和される。
【００２９】
（変形例）
上記実施の形態において以下のように変更することもできる。
（１）上記実施の形態においては、セパレート型液晶プロジェクタ１は、本体が入力側ユニット１０と投写側ユニット２０とに二分割されるとともに、スクリーン３０がこれらユニットとは別に独立して設けられている構成となっている。しかし、投写側ユニット２０を、従来一般の液晶リアプロジェクタのように、光学系機器及びこれに付随する制御系機器とともにスクリーンを一体に収納した構成としてもよい。このようにすれば、従来一般の液晶リアプロジェクタのように、液晶リアプロジェクタ周辺で画像信号を入力するためのケーブル１０ｂを引き回す必要がなくなる。
【００３０】
（２）上記実施の形態においては、セパレート型プロジェクタは液晶３板式の投写型プロジェクタとして説明してきたが、これに限定されるものではなく、プロジェクタはＲＧＢ各色のカラーフィルタが規則的に格子状に配置され、１枚でフルカラーの変調光を投写することが可能な単板の液晶ライトバルブを用いる構成であってもよい。また、上記実施の形態においては、投写型プロジェクタとして光変調素子に液晶パネルを用いた液晶プロジェクタを示したが、これに限定されるものではなく、他の画像光生成系を備えた投写型プロジェクタとしてもよい。例えば、ＤＬＰ（Digital Light Processingテキサス・インスツルメンツ（ＴＩ社）の登録商標）方式のプロジェクタにおいても本発明を適用することができる。
【産業上の利用可能性】
【００３１】
本発明に係るセパレート型プロジェクタは、色覚正常者及び色覚異常者がユーザとなるプロジェクタに有用である。このようなセパレート型プロジェクタは家庭用及び業務用でもよい。また、画面の大きさも各種のものに応用することができる。
【図面の簡単な説明】
【００３２】
【図１】本発明の実施の形態に係る同セパレート型液晶プロジェクタの全体構成イメージ図。
【図２】同セパレート型液晶プロジェクタの入力側ユニットの回路図。
【図３】同セパレート型液晶プロジェクタの投写側ユニットの回路図。
【符号の説明】
【００３３】
２…画像供給装置、１０…入力側ユニット、１０ａ…入力端子、１０ｂ…ケーブル、１１…入力信号処理回路、１２…画像信号処理回路、１４…画質補正回路、１５…送信回路、２０…投写側ユニット、２１…受信回路、３０…スクリーン。
【図１】
2008300944.tif 000003
【図２】
2008300944.tif 000004
【図３】
2008300944.tif 000005